(57)【要約】本発明は、媒体アクセス制御層の制御要素の確認方法、装置及び通信システムを提供する。該方法は、第１装置が第２装置により送信されたＭＡＣ  ＣＥを受信するステップと、該第１装置が、該第１装置による該ＭＡＣ  ＣＥの受信が成功したことを確認するための確認ＭＡＣ  ＣＥを送信するステップと、を含む。本発明によれば、ＭＡＣ  ＣＥの信頼性を向上させることができる。【選択図】図２
2021510950.tif 000002
【特許請求の範囲】
【請求項１】
第１装置に構成されている媒体アクセス制御層の制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）の確認装置であって、
第２装置により送信されたＭＡＣ  ＣＥを受信する第１受信部と、
前記第１受信部による前記ＭＡＣ  ＣＥの受信が成功したことを確認するための確認ＭＡＣ  ＣＥを送信する第１送信部と、を含む、装置。
【請求項２】
第１制御部をさらに含み、
前記第１制御部は、
前記第１装置が前記第２装置により指示されると前記制御部により判定された場合、前記第１送信部が前記確認ＭＡＣ  ＣＥを送信するように制御し、或いは、
前記制御部が前記第１装置及び前記第２装置のうちのネットワーク装置により構成されている場合、前記第１送信部が前記確認ＭＡＣ  ＣＥを送信するように制御する、請求項１に記載の装置。
【請求項３】
前記第１制御部は、前記第２装置により送信された前記ＭＡＣ  ＣＥに基づいて、前記第１装置が前記第２装置により指示されて前記確認ＭＡＣ  ＣＥを送信すると判定する、請求項２に記載の装置。
【請求項４】
前記第１制御部は、前記ＭＡＣ  ＣＥのデータ部分又はサブヘッダ部分のフィールドに基づいて前記指示を判定する、請求項３に記載の装置。
【請求項５】
前記第１制御部は、前記ＭＡＣ  ＣＥにより用いられる論理チャネル識別子（ＬＣＩＤ）に基づいて前記指示を判定する、請求項３に記載の装置。
【請求項６】
前記第１制御部は、前記ＭＡＣ  ＣＥの前記第１装置により受信された媒体アクセス制御層のプロトコルデータユニット（ＭＡＣ  ＰＤＵ：Ｍｅｄｉａ  Ａｃｃｅｓｓ  Ｃｏｎｔｒｏｌ  Ｐｒｏｔｏｃｏｌ  Ｄａｔａ  Ｕｎｉｔ）における位置に基づいて、前記指示を判定する、請求項３に記載の装置。
【請求項７】
前記制御部は、前記第１受信部が第１ネットワークシグナリングを受信した時点又は該第１ネットワークシグナリングにより指示される時点からの期間内に、前記第１送信部が前記確認ＭＡＣ  ＣＥを送信するように制御するように、前記ネットワーク装置により構成される、請求項２に記載の装置。
【請求項８】
前記期間の長さは、前記ネットワーク装置により構成されたタイマにより決定される、請求項７に記載の装置。
【請求項９】
前記制御部は、前記第１受信部が第２ネットワークシグナリングを受信した時点又は該第２ネットワークシグナリングにより指示される時点に、前記第１送信部による前記確認ＭＡＣ  ＣＥの送信を終了するように制御するように、前記ネットワーク装置により構成される、請求項７に記載の装置。
【請求項１０】
前記制御部は、前記ネットワーク装置が前記第１装置のために所定優先度閾値よりも高い論理チャネルを構成している場合、前記第１送信部が前記確認ＭＡＣ  ＣＥを送信するように制御するように、前記ネットワーク装置により構成される、請求項２に記載の装置。
【請求項１１】
前記確認ＭＡＣ  ＣＥと前記ＭＡＣ  ＣＥとは、異なるデータフォーマット、及び／又は異なるデータ部分の内容、及び／又は異なるサブヘッダ部分の内容を有する、請求項１に記載の装置。
【請求項１２】
前記確認ＭＡＣ  ＣＥのデータフォーマットは、０ビットのデータ部分及びサブヘッダ部分を含み、
前記サブヘッダ部分の論理チャネル識別子（ＬＣＩＤ）フィールドの値は、前記確認ＭＡＣ  ＣＥにより確認された前記ＭＡＣ  ＣＥにより用いられるＬＣＩＤの値と同一である、請求項１１に記載の装置。
【請求項１３】
前記確認ＭＡＣ  ＣＥのデータフォーマットは、データ部分及びサブヘッダ部分を含み、
前記データ部分のＬＣＩＤフィールドの値は、前記確認ＭＡＣ  ＣＥにより確認された前記ＭＡＣ  ＣＥにより用いられるＬＣＩＤの値と同一であり、
前記サブヘッダ部分のＬＣＩＤフィールドの値は、所定値である、請求項１１に記載の装置。
【請求項１４】
前記確認ＭＡＣ  ＣＥのデータフォーマットは、０ビットのデータ部分及びサブヘッダ部分を含み、
前記サブヘッダ部分のＬＣＩＤフィールドの値は、所定値である、請求項１１に記載の装置。
【請求項１５】
第２装置に構成されている媒体アクセス制御層の制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）の確認装置であって、
第１装置にＭＡＣ  ＣＥを送信する第２送信部と、
前記第１装置により送信された、前記第１装置による前記ＭＡＣ  ＣＥの受信が成功したことを確認するための確認ＭＡＣ  ＣＥを受信する第２受信部と、を含む、装置。
【請求項１６】
指示部をさらに有し、
前記指示部が指示を行った場合、前記第１装置が前記確認ＭＡＣ  ＣＥを送信し、或いは、
前記第１装置及び前記第２装置のうちのネットワーク装置が構成を行った場合、前記第１装置が前記確認ＭＡＣ  ＣＥを送信する、請求項１５に記載の装置。
【請求項１７】
前記第２装置は前記ネットワーク装置であり、前記第２装置は構成部をさらに有し、
前記構成部は、前記第１装置が第１ネットワークシグナリングを受信した時点又は該第１ネットワークシグナリングにより指示される時点からの期間内に、前記確認ＭＡＣ  ＣＥを送信するように構成する、請求項１６に記載の装置。
【請求項１８】
前記第２装置は前記ネットワーク装置であり、前記装置は構成部をさらに有し、
前記構成部は、
前記第１装置のために論理チャネルを構成し、
前記構成部が前記第１装置のために所定優先度閾値よりも高い論理チャネルを構成している場合、前記第１装置が前記確認ＭＡＣ  ＣＥを送信するように、前記第１装置を構成する、請求項１６に記載の装置。
【請求項１９】
前記確認ＭＡＣ  ＣＥと前記ＭＡＣ  ＣＥとは、異なるデータフォーマット、及び／又は異なるデータ部分の内容、及び／又は異なるサブヘッダ部分の内容を有する、請求項１５に記載の装置。
【請求項２０】
第１装置と、第２装置と、を含む通信システムであって、
前記第１装置は、請求項１乃至１４の何れかに記載の媒体アクセス制御層の制御要素の確認装置を含み、
前記第２装置は、請求項１５乃至１９の何れかに記載の媒体アクセス制御層の制御要素の確認装置を含む、通信システム。
【発明の詳細な説明】
【技術分野】
【０００１】
本発明は、通信分野に関し、特に媒体アクセス制御層の制御要素の確認方法、装置及び通信システムに関する。
【背景技術】
【０００２】
近年、移動通信ネットワークに基づく各種のデータアプリケーション及びサービスが急速に発展し、移動通信ネットワークによりサービングされている端末も従来の人を主体とするスマートフォン端末から機器を主体とする他のタイプの端末へ拡大されている。
【０００３】
このような変化のトレンドに応じて、将来の移動通信ネットワークは、様々な端末機器、様々なサービスのニーズを満たすために、より柔軟、多様なサービスを提供する能力を持つ必要がある。例えば、５Ｇ通信システムは、従来の拡張モバイルブロードバンド（ｅＭＢＢ：ｅｎｈａｎｃｅｄ  Ｍｏｂｉｌｅ  Ｂｒｏａｄｂａｎｄ）サービスに加えて、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎｓ）サービス及び高信頼性低遅延通信（ＵＲＬＬＣ：Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）サービスをサポートしている。
【０００４】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００５】
本発明の発明者の発見により、従来技術では、データ伝送の信頼性が大幅強化されているが、データ伝送方式及びリソースを構成するシグナリングの信頼性の強化はまだ十分ではない。
【０００６】
例えば、従来の媒体アクセス制御層の制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）の構成シグナリングの信頼性は、ＵＲＬＬＣのデータ伝送の信頼性に比べて遥かに低い。ＭＡＣ  ＣＥの信頼性を強化しないと、ＵＲＬＬＣに関連する構成のエラーが発生したり、大きな構成遅延が発生したり、ネットワーク装置側と端末装置側の構成に対する理解が一致しなくなる。その結果、ＵＲＬＬＣのデータ伝送は、低遅延高信頼性の要求を満たすことができなくなる。また、ＵＲＬＬＣサービスに関連するＭＡＣ  ＣＥは、他のＭＡＣ  ＣＥよりも高い信頼性を持つ必要がある。
【０００７】
本発明の実施例は、媒体アクセス制御層の制御要素（ＭＡＣ  ＣＥ）を受信した第１装置が、該第１装置による該ＭＡＣ  ＣＥの受信が成功したことを確認するための確認ＭＡＣ  ＣＥを送信することで、ＭＡＣ  ＣＥの信頼性を向上させることができる、ＭＡＣ  ＣＥの確認方法、装置及び通信システムを提供する。
【課題を解決するための手段】
【０００８】
本発明の実施例の第１態様では、第１装置に構成されている媒体アクセス制御層の制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）の確認装置であって、第２装置により送信されたＭＡＣ  ＣＥを受信する第１受信部と、前記第１受信部による前記ＭＡＣ  ＣＥの受信が成功したことを確認するための確認ＭＡＣ  ＣＥを送信する第１送信部と、を含む、装置を提供する。
【０００９】
本発明の実施例の第２態様では、第２装置に構成されている媒体アクセス制御層の制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）の確認装置であって、第１装置にＭＡＣ  ＣＥを送信する第２送信部と、前記第１装置により送信された、前記第１装置による前記ＭＡＣ  ＣＥの受信が成功したことを確認するための確認ＭＡＣ  ＣＥを受信する第２受信部と、を含む、装置を提供する。
【００１０】
本発明の実施例の第３態様では、第１装置と、第２装置と、を含む通信システムであって、前記第１装置は、上記の実施例の第１態様に記載のＭＡＣ  ＣＥの確認装置を含み、前記第２装置は、上記の実施例の第２態様に記載のＭＡＣ  ＣＥの確認装置を含む、通信システムを提供する。
【００１１】
本発明の実施例の有利な効果としては、ＭＡＣ  ＣＥの信頼性を向上させることができる。
【００１２】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１３】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１４】
なお、本文では、用語「含む／有する」は、特徴、部材、ステップ又は構成要件が存在することを意味し、一つ又は複数の他の特徴、部材、ステップ又は構成要件の存在又は付加を排除しない。
【図面の簡単な説明】
【００１５】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【００１６】
含まれる図面は、本発明の実施例をさらに理解するために用いられ、明細書の一部を構成し、本発明の実施形態を例示するために用いられ、文言の記載と共に本発明の原理を説明する。なお、以下に説明される図面は、単なる本発明の一部の実施例であり、当業者にとっては、これらの図面に基づいて他の図面を容易に想到できる。
【図１】本発明の通信システムの概略図である。
【図２】本発明の実施例１のＭＡＣ  ＣＥの確認方法の概略図である。
【図３】本発明の実施例２のＭＡＣ  ＣＥの確認方法の概略図である。
【図４】本発明の実施例３のＭＡＣ  ＣＥの確認装置の概略図である。
【図５】本発明の実施例４のＭＡＣ  ＣＥの確認装置の概略図である。
【図６】本発明の実施例５のネットワーク装置の構成の概略図である。
【図７】本発明の実施例６の端末装置の構成の概略図である。
【図８】本発明の実施例８のＲＲＣ構成シグナリングにおける構成の適用方法の概略図である。
【図９】本発明の実施例９のＲＲＣ構成シグナリングにおける構成の適用方法の概略図である。
【図１０】本発明の実施例１０のＲＲＣ構成シグナリングにおける構成の適用装置の概略図である。
【図１１】本発明の実施例１１のＲＲＣ構成シグナリングにおける構成の適用装置の概略図である。
【図１２】本発明の実施例１２の端末装置の構成の概略図である。
【図１３】本発明の実施例１３のネットワーク装置の構成の概略図である。
【発明を実施するための形態】
【００１７】
本発明の上記及び他の特徴は以下の説明により明らかになる。明細書及び図面において、本発明の特定の実施形態が詳細に開示され、本発明の原理を採用できる実施形態の一部が示される。なお、本発明は説明される実施形態に限定されない。本発明は、添付される特許請求の範囲内の全ての変更されたもの、変形されたもの及び均等的なものを含む。以下は、図面を参照しながら本発明の各実施形態を説明する。これらの実施形態は単なる例示的なものであり、本発明を制限するものではない。
【００１８】
本発明の実施例では、用語「第１」、「第２」などは、タイトルで異なる要素を区別するために用いられるが、これらの要素の空間的配列又は時間的順序などを表すものではなく、これらの要素はこれらの用語に制限されない。用語「及び／又は」は、関連するリストに列挙された用語の１つ又は複数のうち何れか１つ及び全ての組み合わせを含む。用語「含む」、「包括する」、「有する」などは、列挙された特徴、要素、素子又は構成部材の存在を意味するが、１つ又は複数の他の特徴、要素、素子又は構成部材の存在又は追加を排除するものではない。
【００１９】
本発明の実施例では、単数形の「１つ」、「該」などは複数形を含み、「１種類」又は「１類」と広義的に理解されるべきであり、「１個」に限定されない。また、用語「前記」は、文脈がそうでないことを明確に示さない限り、単数形及び複数形両方を含むと理解されるべきである。また、文脈がそうでないことを明確に示さない限り、用語「に記載の」は「少なくとも一部に記載の」と理解されるべきであり、用語「に基づいて」は「少なくとも一部に基づいて」と理解されるべきである。
【００２０】
本発明の実施例では、用語「通信ネットワーク」又は「無線通信ネットワーク」は、例えばロングタームエボリューション（ＬＴＥ：Ｌｏｎｇ  Ｔｅｒｍ  Ｅｖｏｌｕｔｉｏｎ）、進化したロングタームエボリューション（ＬＴＥ−Ａ、ＬＴＥ−Ａｄｖａｎｃｅｄ）、広帯域符号分割多元接続（ＷＣＤＭＡ(登録商標)：Ｗｉｄｅｂａｎｄ  Ｃｏｄｅ  Ｄｉｖｉｓｉｏｎ  Ｍｕｌｔｉｐｌｅ  Ａｃｃｅｓｓ）、高速パケットアクセス（ＨＳＰＡ：Ｈｉｇｈ−Ｓｐｅｅｄ  Ｐａｃｋｅｔ  Ａｃｃｅｓｓ）などの任意の通信規格に適合するネットワークを意味してもよい。
【００２１】
また、通信システムにおける装置間の通信は、任意の段階の通信プロトコルに従って行われてもよく、該通信プロトコルは、例えば１Ｇ（ｇｅｎｅｒａｔｉｏｎ）、２Ｇ、２．５Ｇ、２．７５Ｇ、３Ｇ、４Ｇ、４．５Ｇ、及び将来の５Ｇ、新しい無線（ＮＲ：Ｎｅｗ  Ｒａｄｉｏ）等、及び／又は現在の既知の他の通信プロトコル若しくは将来開発される他の通信プロトコルを含んでもよいが、これらに限定されない。
【００２２】
本発明の実施例では、用語「ネットワーク装置」は、例えば通信システムに端末装置をアクセスさせて該端末装置にサービスを提供する通信システム内の装置を意味する。ネットワーク装置は、基地局（ＢＳ：Ｂａｓｅ  Ｓｔａｔｉｏｎ）、アクセスポイント（ＡＰ：Ａｃｃｅｓｓ  Ｐｏｉｎｔ）、送受信ポイント（ＴＲＰ：Ｔｒａｎｓｍｉｓｓｉｏｎ  Ｒｅｃｅｐｔｉｏｎ  Ｐｏｉｎｔ）、ブロードキャスト送信機、モビリティ管理エンティティ（ＭＭＥ：Ｍｏｂｉｌｅ  Ｍａｎａｇｅｍｅｎｔ  Ｅｎｔｉｔｙ）、ゲートウェイ、サーバ、無線ネットワークコントローラ（ＲＮＣ：Ｒａｄｉｏ  Ｎｅｔｗｏｒｋ  Ｃｏｎｔｒｏｌｌｅｒ）、基地局コントローラ（ＢＳＣ：Ｂａｓｅ  Ｓｔａｔｉｏｎ  Ｃｏｎｔｒｏｌｌｅｒ）などを含んでもよいが、これらに限定されない。
【００２３】
そのうち、基地局は、ノードＢ（ＮｏｄｅＢ又はＮＢ）、進化ノードＢ（ｅＮｏｄｅＢ又はｅＮＢ）、及び５Ｇ基地局（ｇＮＢ）など、並びにリモート無線ヘッド（ＲＲＨ：Ｒｅｍｏｔｅ  Ｒａｄｉｏ  Ｈｅａｄ）、リモート無線ユニット（ＲＲＵ：Ｒｅｍｏｔｅ  Ｒａｄｉｏ  Ｕｎｉｔ）、中継装置（ｒｅｌａｙ）又は低電力ノード（例えばｆｅｍｔｏ、ｐｉｃｏなど）を含んでもよいが、これらに限定されない。また、用語「基地局」はそれらの機能の一部又は全てを含んでもよく、各基地局は特定の地理的エリアに対して通信カバレッジを提供してもよい。用語「セル」は、該用語が使用されるコンテキストに応じて、基地局及び／又はそのカバレッジエリアを意味してもよい。
【００２４】
本発明の実施例では、用語「ユーザ装置」（ＵＥ：Ｕｓｅｒ  Ｅｑｕｉｐｍｅｎｔ）又は用語「端末装置」（ＴＥ：Ｔｅｒｍｉｎａｌ  Ｅｑｕｉｐｍｅｎｔ）は、例えばネットワーク装置を介して通信ネットワークにアクセスし、ネットワークサービスを受ける装置を意味する。端末装置は、固定的なもの又は移動的なものであってもよく、移動局（ＭＳ：Ｍｏｂｉｌｅ  Ｓｔａｔｉｏｎ）、端末、加入者ステーション（ＳＳ：Ｓｕｂｓｃｒｉｂｅｒ  Ｓｔａｔｉｏｎ）、アクセス端末（ＡＴ：Ａｃｃｅｓｓ  Ｔｅｒｍｉｎａｌ）、ステーションなどと称されてもよい。
【００２５】
そのうち、端末装置は、携帯電話（Ｃｅｌｌｕｌａｒ  Ｐｈｏｎｅ）、パーソナルデジタルアシスタント（ＰＤＡ：Ｐｅｒｓｏｎａｌ  Ｄｉｇｉｔａｌ  Ａｓｓｉｓｔａｎｔ）、無線変復調装置、無線通信装置、ハンドヘルドデバイス、マシンタイプ通信装置、ラップトップコンピュータ、コードレス電話、スマートフォン、スマートウォッチ、デジタルカメラなどを含んでもよいが、これらに限定されない。
【００２６】
例えば、モノのインターネット（ＩｏＴ：Ｉｎｔｅｒｎｅｔ  ｏｆ  Ｔｈｉｎｇｓ）などのシナリオでは、ユーザ装置は、監視又は測定を行う機器又は装置であってもよく、例えばマシンタイプ通信（ＭＴＣ：Ｍａｃｈｉｎｅ  Ｔｙｐｅ  Ｃｏｍｍｕｎｉｃａｔｉｏｎ）端末、車載通信端末、デバイスツーデバイス（Ｄ２Ｄ：Ｄｅｖｉｃｅ  ｔｏ  Ｄｅｖｉｃｅ）端末、マシンツーマシン（Ｍ２Ｍ：Ｍａｃｈｉｎｅ  ｔｏ  Ｍａｃｈｉｎｅ）端末などを含んでもよいが、これらに限定されない。
【００２７】
以下は、一例を参照しながら本発明の実施例のシナリオを説明するが、本発明はこれに限定されない。
【００２８】
図１は、本発明の通信システムの概略図であり、ユーザ装置及びネットワーク装置の例を概略的に示している。図１に示すように、通信システム１００は、ネットワーク装置１０１及び端末装置１０２を含んでもよい（説明の便宜上、図１は、１つの端末装置のみを一例にして説明する）。
【００２９】
本発明の実施例では、ネットワーク装置１０１と端末装置１０２との間では、既存のサービス又は将来に実装可能なサービスを行うことができる。例えば、これらのサービスは、拡張モバイルブロードバンド（ｅＭＢＢ：ｅｎｈａｎｃｅｄ  Ｍｏｂｉｌｅ  Ｂｒｏａｄｂａｎｄ）、大規模マシンタイプ通信（ｍＭＴＣ：ｍａｓｓｉｖｅ  Ｍａｃｈｉｎｅ  Ｔｙｐｅ  Ｃｏｍｍｕｎｉｃａｔｉｏｎ）及び高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含むが、これらに限定されない。
【００３０】
ここで、端末装置１０２は、例えばグラント済み（ｇｒａｎｔｅｄ）グラントフリー（ｇｒａｎｔ−ｆｒｅｅ）の伝送方式を用いてネットワーク装置１０１にデータを送信してもよい。ネットワーク装置１０１は、１つ又は複数の端末装置１０２により送信されたデータを受信し、端末装置１０２に情報、例えば肯定応答（ＡＣＫ）／非肯定応答（ＮＡＣＫ）などをフィードバックしてもよく、端末装置１０２は、フィードバック情報に基づいて伝送プロセスの終了を確認してもよいし、新しいデータ伝送又はデータ再送を行ってもよい。
【００３１】
また、端末装置１０２がネットワーク装置１０１にアクセスする前に、ネットワーク装置１０１は、端末装置１０２にシステム情報に関連する情報を送信してもよい。端末装置１０２は、ダウンリンク同期を実現し、ネットワーク装置１０１との接続を確立するように、受信された情報を検出してもよい。
【００３２】
以下は、通信システムにおけるネットワーク装置及び端末装置のうちの一方を送信側とし、他方を受信側とする例を説明するが、本発明はこれに限定されず、送信側及び／又は受信側は他の装置であってもよい。例えば、本発明は、ネットワーク装置と端末装置との間の信号伝送に適用されてもよいし、２つの端末装置間の信号伝送に適用されてもよい。
【００３３】
＜実施例１＞
本発明の実施例１は媒体アクセス制御層の制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）の確認方法を提供し、該方法は第１装置により実行される。
【００３４】
図２は本実施例のＭＡＣ  ＣＥの確認方法の概略図である。図２に示すように、該方法は以下のステップを含む。
【００３５】
ステップ２０１：第１装置は、第２装置により送信されたＭＡＣ  ＣＥを受信する。
【００３６】
ステップ２０２：該第１装置は、該第１装置による該ＭＡＣ  ＣＥの受信が成功したことを確認するための確認ＭＡＣ  ＣＥを送信する。
【００３７】
本実施例によれば、第１装置が確認ＭＡＣ  ＣＥを送信することで、該第１装置によるＭＡＣ  ＣＥの受信が成功したことを確認することができるため、ＭＡＣ  ＣＥの信頼性を向上させることができる。
【００３８】
本実施例では、第１装置は、ＭＡＣ  ＣＥを受信して確認ＭＡＣ  ＣＥを送信する装置であり、該第１装置は、ネットワーク装置及び端末装置のうちの一方であってもよい。第２装置は、ＭＡＣ  ＣＥを送信して確認ＭＡＣ  ＣＥを受信する装置であり、該第２装置は、ネットワーク装置及び端末装置のうちの他方であってもよい。第１装置と第２装置とは通信を行い、通信システムを構成する。
【００３９】
本実施例では、該第１装置が該第２装置により指示されている場合、該第１装置は該確認ＭＡＣ  ＣＥを送信してもよい。また、該第１装置が該第２装置により指示されていない場合、該第１装置は該確認ＭＡＣ  ＣＥを送信しない。これによって、該第２装置は、該第１装置がＭＡＣ  ＣＥに対する確認ＭＡＣ  ＣＥを送信するように、各ＭＡＣ  ＣＥについて指示を行うことができる。
【００４０】
１つの態様では、該第２装置により送信された該ＭＡＣ  ＣＥは、該第１装置が該確認ＭＡＣ  ＣＥを送信するように指示するために用いられる。
【００４１】
例えば、該第２装置により送信された該ＭＡＣ  ＣＥのデータ部分又はサブヘッダ（ｓｕｂｈｅａｄｅｒ）部分のフィールドは、該第１装置が該確認ＭＡＣ  ＣＥを送信するように指示するために用いられる。一例として、該第２装置により送信された該ＭＡＣ  ＣＥのデータ部分又はサブヘッダ部分のフィールドが１に設定された場合、該第１装置が該ＭＡＣ  ＣＥに対する該確認ＭＡＣ  ＣＥを送信するように指示する。また、該フィールドが０に設定された場合、該第１装置は該ＭＡＣ  ＣＥに対する該確認ＭＡＣ  ＣＥを送信しない。逆の場合でもよい。
【００４２】
また、例えば、該第２装置により送信されたＭＡＣ  ＣＥにより用いられる論理チャネル識別子（ＬＣＩＤ）は、該第１装置が該確認ＭＡＣ  ＣＥを送信するように指示するために用いられる。一例として、各ＭＡＣ  ＣＥは、少なくとも２つのＬＣＩＤ、例えばＬＣＩＤ１及びＬＣＩＤ２に対応してもよく、該第１装置により受信された該ＭＡＣ  ＣＥがＬＣＩＤ１を用いる場合、該第１装置は該ＭＡＣ  ＣＥに対する該確認ＭＡＣ  ＣＥを送信する。また、該第１装置により受信された該ＭＡＣ  ＣＥがＬＣＩＤ２を用いる場合、該第１装置は該ＭＡＣ  ＣＥに対する該確認ＭＡＣ  ＣＥを送信しない。
【００４３】
また、例えば、該第２装置により送信された該ＭＡＣ  ＣＥの該第１装置により受信された媒体アクセス制御層のプロトコルデータユニット（ＭＡＣ  ＰＤＵ：Ｍｅｄｉａ  Ａｃｃｅｓｓ  Ｃｏｎｔｒｏｌ  Ｐｒｏｔｏｃｏｌ  Ｄａｔａ  Ｕｎｉｔ）における位置は、該第１装置が該確認ＭＡＣ  ＣＥを送信するように指示するために用いられる。一例として、第１装置により受信された該ＭＡＣ  ＣＥがＭＡＣ  ＰＤＵ全体の後部にあり、即ち媒体アクセス制御層のサービスデータユニット（ＭＡＣ  ＳＤＵ：Ｍｅｄｉａ  Ａｃｃｅｓｓ  Ｃｏｎｔｒｏｌ  Ｓｅｒｖｉｃｅ  Ｄａｔａ  Ｕｎｉｔ）の後にある場合、該第１装置は該ＭＡＣ  ＣＥに対する確認ＭＡＣ  ＣＥを送信する。また、第１装置により受信された該ＭＡＣ  ＣＥがＭＡＣ  ＰＤＵ全体の前部にあり、即ちＭＡＣ  ＳＤＵの前にある場合、該第１装置は該ＭＡＣ  ＣＥに対する確認ＭＡＣ  ＣＥを送信しない。逆の場合でもよい。
【００４４】
本実施例では、該第２装置により送信された他の情報を用いて、該第１装置が該確認ＭＡＣ  ＣＥを送信するように指示してもよい。
【００４５】
本実施例では、該第１装置が該第１装置及び該第２装置のうちのネットワーク装置により構成されている場合、第１装置は該確認ＭＡＣ  ＣＥを送信する。ここで、該第１装置が端末装置であり、該第２装置がネットワーク装置である場合、該第２装置であるネットワーク装置により第１装置を構成してもよい。該第１装置がネットワーク装置であり、該第２装置が端末装置である場合、該第１装置であるネットワーク装置により該第１装置自体を構成してもよい。これによって、該第２装置が各ＭＡＣ  ＣＥについて指示を行う必要がなく、該第１装置は、ネットワーク装置の構成に基づいて該確認ＭＡＣ  ＣＥを送信することができる。
【００４６】
１つの態様では、該ネットワーク装置は、該第１受信部が第１ネットワークシグナリングを受信した時点（タイミング）又は該第１ネットワークシグナリングにより指示される時点からの期間内に、該第１装置が該確認ＭＡＣ  ＣＥを送信するように構成してもよい。ここで、該第１ネットワークシグナリングは、例えば物理層シグナリング、ＭＡＣ  ＣＥ、無線リソース制御（ＲＲＣ：Ｒａｄｉｏ  Ｒｅｓｏｕｒｃｅ  Ｃｏｎｔｒｏｌ）シグナリング、又は他のネットワークシグナリングであってもよい。該第１のネットワークシグナリングにより指示される時点は、例えば該第１ネットワークシグナリングにより指示されるシステムフレーム、サブフレーム、スロット、又はシンボル位置などの時点であってもよい。
【００４７】
例えば、該期間の長さは、該ネットワーク装置により構成されたタイマにより決定されてもよく、且つ／或いは、該ネットワーク装置は、第１装置が第２ネットワークシグナリングを受信した時点又は該第２ネットワークシグナリングにより指示される時点に、該第１装置が該確認ＭＡＣ  ＣＥの送信を終了するように構成してもよい。ここで、該第２ネットワークシグナリングは、例えば物理層シグナリング、ＭＡＣ  ＣＥ、無線リソース制御（ＲＲＣ：Ｒａｄｉｏ  Ｒｅｓｏｕｒｃｅ  Ｃｏｎｔｒｏｌ）シグナリング、又は他のネットワークシグナリングであってもよい。該第２のネットワークシグナリングにより指示される時点は、例えば該第２ネットワークシグナリングにより指示されるシステムフレーム、サブフレーム、スロット、又はシンボル位置などの時点であってもよい。
【００４８】
一例として、該第１装置は、該第１装置が第１ネットワークシグナリングを受信した時点から、又は該第１ネットワークシグナリングにより指示されるシステムフレーム、サブフレーム、スロット若しくはシンボル位置などの時点から、該第１装置が受信されたＭＡＣ  ＣＥに対する該確認ＭＡＣ  ＣＥを送信するように、該ネットワーク装置により構成されてもよい。そして、該第１装置が第１ネットワークシグナリングを受信した時点、又は該第１ネットワークシグナリングにより指示されるシステムフレーム、サブフレーム、スロット若しくはシンボル位置などの時点に、該第１装置はタイマを起動し、該タイマのパラメータは該ネットワーク装置により構成される。そして、該タイマの動作中、該第１装置は、受信されたＭＡＣ  ＣＥに対する確認ＭＡＣ  ＣＥを送信する。また、該第１装置は、該タイマがタイムアウトになり、或いは動作していない場合、該第１装置が受信されたＭＡＣ  ＣＥに対する確認ＭＡＣ  ＣＥを送信しないように、該ネットワーク装置により構成される。また、該第１装置は、該第１装置が第２ネットワークシグナリングを受信した時点、又は該第２ネットワークシグナリングにより指示されるシステムフレーム、サブフレーム、スロット若しくはシンボル位置などの時点に、該第１装置が受信されたＭＡＣ  ＣＥに対する確認ＭＡＣ  ＣＥの送信を停止するように、該ネットワーク装置により構成される。また、該タイマが依然として動作している場合、該第１装置は該タイマを停止してもよい。
【００４９】
本実施例では、該ネットワーク装置が該第１装置のために所定優先度閾値よりも高い論理チャネルを構成している場合、該第１送信部は、該確認ＭＡＣ  ＣＥを送信する。１つの態様では、ネットワーク装置は優先度閾値を構成し、或いは予め定義してもよい。該第１装置が該優先度閾値よりも高い論理チャネルを有する場合、例えば該第１装置がＵＲＬＬＣのサービスを有する場合、該第１装置は、受信された該ＭＡＣ  ＣＥに対する確認ＭＡＣ  ＣＥを送信する。また、該第１装置が該優先度閾値よりも高い論理チャネルを有しない場合、該第１装置は、受信された該ＭＡＣ  ＣＥに対する確認ＭＡＣ  ＣＥを送信しない。
【００５０】
本実施例では、該第１装置により送信された確認ＭＡＣ  ＣＥと該第１装置により受信された該ＭＡＣ  ＣＥとは、異なるデータフォーマット、及び／又は異なるデータ部分の内容、及び／又は異なるサブヘッダ部分の内容を有する。これによって、該確認ＭＡＣ  ＣＥと該ＭＡＣ  ＣＥとを区別することができる。
【００５１】
１つの態様では、確認ＭＡＣ  ＣＥのデータフォーマットは、０ビットのデータ部分及びサブヘッダ部分を含んでもよい。ここで、該サブヘッダ部分のＬＣＩＤフィールドの値は、該確認ＭＡＣ  ＣＥにより確認された該ＭＡＣ  ＣＥにより用いられるＬＣＩＤの値と同一である。これによって、該確認ＭＡＣ  ＣＥのデータ部分のバイトオーバーヘッドを節約することができる。
【００５２】
例えば、重複伝送のアクティブ化／非アクティブ化のＭＡＣ  ＣＥにより用いられるＬＣＩＤは、ネットワーク装置により「１１１０００」に構成されてもよい。第１装置が該ＭＡＣ  ＣＥに対する確認ＭＡＣ  ＣＥを送信する場合、該確認ＭＡＣ  ＣＥのデータフォーマットは、０ビットのデータ部分を有し、且つサブヘッダで「１１１０００」をＬＣＩＤとして用いるものである。第２装置は、サブヘッダのＬＣＩＤフィールドが「１１１０００」であり、且つデータ部分の長さが０であるＭＡＣ  ＣＥを受信した場合、該ＭＡＣ  ＣＥが重複伝送のアクティブ化／非アクティブ化のＭＡＣ  ＣＥを確認するための確認ＭＡＣ  ＣＥであると判定する。
【００５３】
もう１つの態様では、該確認ＭＡＣ  ＣＥのデータフォーマットは、データ部分及びサブヘッダ部分を含む。ここで、該データ部分のＬＣＩＤフィールドの値は、該確認ＭＡＣ  ＣＥにより確認された該ＭＡＣ  ＣＥにより用いられるＬＣＩＤの値と同一であり、該サブヘッダ部分のＬＣＩＤフィールドの値は、所定値である。これによって、各確認ＭＡＣ  ＣＥは統一されたデータフォーマットを有する。
【００５４】
例えば、重複伝送のアクティブ化／非アクティブ化のＭＡＣ  ＣＥにより用いられるＬＣＩＤは、ネットワーク装置により「１１１０００」に構成される。第１装置が該ＭＡＣ  ＣＥに対する確認ＭＡＣ  ＣＥを送信する場合、該確認ＭＡＣ  ＣＥのデータフォーマットは、データ部分が１つのＬＣＩＤフィールドを含み、その値が「１１１０００」に設定され、且つサブヘッダが所定値を有するＬＣＩＤ、例えば「１１０１１１」を用いるものである。第２装置は、サブヘッダのＬＣＩＤフィールドが「１１０１１１」であり、且つデータ部分のＬＣＩＤフィールドが「１１１０００」であるＭＡＣ  ＣＥを受信した場合、該ＭＡＣ  ＣＥが重複伝送のアクティブ化／非アクティブ化のＭＡＣ  ＣＥを確認するための確認ＭＡＣ  ＣＥであると判定する。
【００５５】
もう１つの態様では、該確認ＭＡＣ  ＣＥのデータフォーマットは、０ビットのデータ部分及びサブヘッダ部分を含む。ここで、該サブヘッダ部分のＬＣＩＤフィールドの値は、所定値である。これによって、各確認ＭＡＣ  ＣＥは統一されたデータフォーマットを有すると共に、該確認ＭＡＣ  ＣＥのデータ部分のバイトオーバーヘッドを節約することができる。
【００５６】
例えば、重複伝送のアクティブ化／非アクティブ化のＭＡＣ  ＣＥにより用いられるＬＣＩＤは、ネットワーク装置により「１１１０００」に構成される。第２装置が該ＭＡＣ  ＣＥを送信した後の構成された期間内、例えば予め構成されたウィンドウ又はタイマ許可期間内に、第１装置が該ＭＡＣ  ＣＥに対する確認ＭＡＣ  ＣＥを送信する場合、該確認ＭＡＣ  ＣＥのデータフォーマットは、データ部分が０ビットであり、且つサブヘッダが所定値を有するＬＣＩＤ、例えば「１１０１１１」を用いるものである。第２装置は、重複伝送のアクティブ化／非アクティブ化のＭＡＣ  ＣＥを送信した後の期間内に、サブヘッダのＬＣＩＤフィールドが「１１０１１１」であり、且つデータ部分の長さが０であるＭＡＣ  ＣＥを受信した場合、該ＭＡＣ  ＣＥが重複伝送のアクティブ化／非アクティブ化のＭＡＣ  ＣＥを確認するための確認ＭＡＣ  ＣＥであると判定する。
【００５７】
本実施例によれば、第１装置が受信されたＭＡＣ  ＣＥに対する確認ＭＡＣ  ＣＥを送信することで、該第１装置による該ＭＡＣ  ＣＥの受信が成功したことを確認することができるため、ＭＡＣ  ＣＥの信頼性を向上させることができる。また、該確認ＭＡＣ  ＣＥと該ＭＡＣ  ＣＥとを区別することで、該確認ＭＡＣ  ＣＥを容易に識別することができる。
【００５８】
＜実施例２＞
本実施例２は、ＭＡＣ  ＣＥの確認方法を提供し、該方法は第２装置により実行される。
【００５９】
図３は本実施例２のＭＡＣ  ＣＥの確認方法の概略図である。図３に示すように、該方法は以下のステップを含む。
【００６０】
ステップ３０１：第２装置は、第１装置にＭＡＣ  ＣＥを送信する。
【００６１】
ステップ３０２：第２装置は、該第１装置により送信された、該第１装置による該ＭＡＣ  ＣＥの受信が成功したことを確認するための確認ＭＡＣ  ＣＥを受信する。
【００６２】
本実施例によれば、第２装置は、該第１装置により送信された、該第１装置による該ＭＡＣ  ＣＥの受信が成功したことを確認するための確認ＭＡＣ  ＣＥを受信することで、ＭＡＣ  ＣＥの信頼性を向上させることができる。
【００６３】
本実施例では、第１装置及び第２装置の説明について、実施例１を参照してもよい。
【００６４】
本実施例では、該第２装置が指示を行った場合、該第１装置が該確認ＭＡＣ  ＣＥを送信する。例えば、該第２装置により送信された該ＭＡＣ  ＣＥは、該第１装置が該確認ＭＡＣ  ＣＥを送信するように指示するために用いられる。或いは、該ＭＡＣ  ＣＥのデータ部分又はサブヘッダ部分のフィールドは、該指示を行うために用いられる。或いは、該ＭＡＣ  ＣＥにより用いられる論理チャネル識別子（ＬＣＩＤ）は、該指示を行うために用いられる。或いは、該ＭＡＣ  ＣＥの該第１装置により受信された媒体アクセス制御層のプロトコルデータユニット（ＭＡＣ  ＰＤＵ：Ｍｅｄｉａ  Ａｃｃｅｓｓ  Ｃｏｎｔｒｏｌ  Ｐｒｏｔｏｃｏｌ  Ｄａｔａ  Ｕｎｉｔ）における位置は、該指示を行うために用いられる。
【００６５】
本実施例では、該第１装置及び該第２装置のうちのネットワーク装置が該第１装置に対して構成を行った場合、該第１装置が該確認ＭＡＣ  ＣＥを送信する。例えば、ネットワーク装置は、該第１装置が第１ネットワークシグナリングを受信した時点又は該第１ネットワークシグナリングにより指示される時点からの期間内に、確認ＭＡＣ  ＣＥを送信するように構成する。ここで、該期間の長さは、該ネットワーク装置により構成されたタイマにより決定され、且つ／或いは、該ネットワーク装置は、該第１装置が第２ネットワークシグナリングを受信した時点又は該第２ネットワークシグナリングにより指示される時点に、該確認ＭＡＣ  ＣＥの送信を終了するように構成する。
【００６６】
本実施例では、ネットワーク装置が該第１装置のために所定優先度閾値よりも高い論理チャネルを構成している場合、該第１装置が該確認ＭＡＣ  ＣＥを送信する。
【００６７】
本実施例では、該確認ＭＡＣ  ＣＥと該ＭＡＣ  ＣＥとは、異なるデータフォーマット、及び／又は異なるデータ部分の内容、及び／又は異なるサブヘッダ部分の内容を有する。例えば、該確認ＭＡＣ  ＣＥのデータフォーマットは、０ビットのデータ部分及びサブヘッダ部分を含む。ここで、該サブヘッダ部分のＬＣＩＤフィールドの値は、該確認ＭＡＣ  ＣＥにより確認された該ＭＡＣ  ＣＥにより用いられるＬＣＩＤの値と同一である。或いは、該確認ＭＡＣ  ＣＥのデータフォーマットは、データ部分及びサブヘッダ部分を含み、該データ部分のＬＣＩＤフィールドの値は、該確認ＭＡＣ  ＣＥにより確認された該ＭＡＣ  ＣＥにより用いられるＬＣＩＤの値と同一であり、該サブヘッダ部分のＬＣＩＤフィールドの値は、所定値である。或いは、該確認ＭＡＣ  ＣＥのデータフォーマットは、０ビットのデータ部分及びサブヘッダ部分を含み、該サブヘッダ部分のＬＣＩＤフィールドの値は、所定値である。
【００６８】
本実施例では、実施例１と同様な部分の説明は、実施例１を参照してもよく、ここでその説明を省略する。
【００６９】
本実施例によれば、第２装置は、第１装置が受信されたＭＡＣ  ＣＥに対して送信された確認ＭＡＣ  ＣＥを受信することで、該第１装置による該ＭＡＣ  ＣＥの受信が成功したことを確認することができるため、ＭＡＣ  ＣＥの信頼性を向上させることができる。また、該確認ＭＡＣ  ＣＥと該ＭＡＣ  ＣＥとを区別することで、第２装置が該確認ＭＡＣ  ＣＥを容易に識別することができる。
【００７０】
＜実施例３＞
本実施例３は、ＭＡＣ  ＣＥの確認装置を提供する。該装置の問題解決の原理は実施例１の方法と類似するため、その具体的な実施は実施例１の方法の実施を参考してもよく、同様な内容について説明を省略する。
【００７１】
図４は本実施例３のＭＡＣ  ＣＥの確認装置の概略図である。図４に示すように、装置４００は、第１受信部４０１及び第１送信部４０２を含む。
【００７２】
本実施例では、第１受信部４０１は、第２装置により送信されたＭＡＣ  ＣＥを受信する。第１送信部４０２は、該第１受信部による該ＭＡＣ  ＣＥの受信が成功したことを確認するための確認ＭＡＣ  ＣＥを送信する。
【００７３】
本実施例では、図４に示すように、装置４００は、第１制御部４０３をさらに含んでもよい。
【００７４】
本実施例では、第１制御部４０３は、該第１装置が該第２装置により指示されると判定した場合、第１送信部４０２が該確認ＭＡＣ  ＣＥを送信するように制御する。
【００７５】
１つの態様では、第１制御部４０３は、該第２装置により送信された該ＭＡＣ  ＣＥに基づいて、該第１装置が該第２装置により指示されて該確認ＭＡＣ  ＣＥを送信すると判定する。例えば、第１制御部４０３は、該ＭＡＣ  ＣＥのデータ部分又はサブヘッダ部分のフィールドに基づいて該指示を判定する。或いは、第１制御部４０３は、該ＭＡＣ  ＣＥにより用いられる論理チャネル識別子（ＬＣＩＤ）に基づいて該指示を判定する。或いは、第１制御部４０３は、該ＭＡＣ  ＣＥの該第１装置により受信された媒体アクセス制御層のプロトコルデータユニット（ＭＡＣ  ＰＤＵ：Ｍｅｄｉａ  Ａｃｃｅｓｓ  Ｃｏｎｔｒｏｌ  Ｐｒｏｔｏｃｏｌ  Ｄａｔａ  Ｕｎｉｔ）における位置に基づいて、該指示を判定する。
【００７６】
もう１つの態様では、制御部４０３が該第１装置及び該第２装置のうちのネットワーク装置により構成されている場合、制御部４０３は、第１送信部４０２が該確認ＭＡＣ  ＣＥを送信するように制御する。
【００７７】
例えば、該制御部は、第１受信部４０１が第１ネットワークシグナリングを受信した時点又は該第１ネットワークシグナリングにより指示される時点からの期間内に、第１送信部４０２が該確認ＭＡＣ  ＣＥを送信するように制御するように、該ネットワーク装置により構成される。ここで、該期間の長さは、該ネットワーク装置により構成されたタイマにより決定される。或いは、該制御部は、第１受信部が第２ネットワークシグナリングを受信した時点又は該第２ネットワークシグナリングにより指示される時点に、該第１送信部による該確認ＭＡＣ  ＣＥの送信を終了するように制御するように、該ネットワーク装置により構成される。
【００７８】
もう１つの態様では、制御部４０３は、該ネットワーク装置が該第１装置のために所定優先度閾値よりも高い論理チャネルを構成している場合、第１送信部４０２が該確認ＭＡＣ  ＣＥを送信するように制御するように、該ネットワーク装置により構成される。
【００７９】
また、該第１装置がネットワーク装置である場合、装置４００は構成部（図示せず）をさらに有してもよい。該構成部は、該制御部４０３を構成し、制御部４０３を上記の制御を行うように構成する。
【００８０】
実施例では、該確認ＭＡＣ  ＣＥと該ＭＡＣ  ＣＥとは、異なるデータフォーマット、及び／又は異なるデータ部分の内容、及び／又は異なるサブヘッダ部分の内容を有する。例えば、該確認ＭＡＣ  ＣＥのデータフォーマットは、０ビットのデータ部分及びサブヘッダ部分を含み、該サブヘッダ部分のＬＣＩＤフィールドの値は、該確認ＭＡＣ  ＣＥにより確認された該ＭＡＣ  ＣＥにより用いられるＬＣＩＤの値と同一である。或いは、該確認ＭＡＣ  ＣＥのデータフォーマットは、データ部分及びサブヘッダ部分を含み、該データ部分のＬＣＩＤフィールドの値は、該確認ＭＡＣ  ＣＥにより確認された該ＭＡＣ  ＣＥにより用いられるＬＣＩＤの値と同一であり、該サブヘッダ部分のＬＣＩＤフィールドの値は、所定値である。或いは、該確認ＭＡＣ  ＣＥのデータフォーマットは、０ビットのデータ部分及びサブヘッダ部分を含み、該サブヘッダ部分のＬＣＩＤフィールドの値は、所定値である。
【００８１】
本実施例によれば、第１装置が受信されたＭＡＣ  ＣＥに対する確認ＭＡＣ  ＣＥを送信することで、該第１装置による該ＭＡＣ  ＣＥの受信が成功したことを確認することができるため、ＭＡＣ  ＣＥの信頼性を向上させることができる。また、該確認ＭＡＣ  ＣＥと該ＭＡＣ  ＣＥとを区別することで、該確認ＭＡＣ  ＣＥを容易に識別することができる。
【００８２】
＜実施例４＞
本実施例４は、ＭＡＣ  ＣＥの確認装置を提供する。該装置の問題解決の原理は実施例２の方法と類似するため、その具体的な実施は実施例２の方法の実施を参考してもよく、同様な内容について説明を省略する。
【００８３】
図５は本実施例４のＭＡＣ  ＣＥの確認装置の概略図である。図４に示すように、装置５００は、第２送信部５０１及び第２受信部５０２を含む。
【００８４】
本実施例では、第２送信部５０１は、第１装置にＭＡＣ  ＣＥを送信する。第２受信部５０２は、該第１装置により送信された、該第１装置による該ＭＡＣ  ＣＥの受信が成功したことを確認するための確認ＭＡＣ  ＣＥを受信する。
【００８５】
本実施例では、図５に示すように、装置５００は、第１指示部５０３をさらに有し、第１指示部５０３が指示を行った場合、第１装置が該確認ＭＡＣ  ＣＥを送信する。
【００８６】
１つの態様では、第１指示部５０３は、該第２装置により送信された該ＭＡＣ  ＣＥを設定し、該第１装置が該確認ＭＡＣ  ＣＥを送信するように指示する。例えば、第１指示部５０３は、該ＭＡＣ  ＣＥのデータ部分又はサブヘッダ部分のフィールドを設定し、該指示を行う。或いは、第１指示部５０３は、該ＭＡＣ  ＣＥにより用いられる論理チャネル識別子（ＬＣＩＤ）を設定し、該指示を行う。或いは、第１指示部５０３は、該ＭＡＣ  ＣＥの媒体アクセス制御層のプロトコルデータユニット（ＭＡＣ  ＰＤＵ：Ｍｅｄｉａ  Ａｃｃｅｓｓ  Ｃｏｎｔｒｏｌ  Ｐｒｏｔｏｃｏｌ  Ｄａｔａ  Ｕｎｉｔ）における位置を設定し、該指示を行う。
【００８７】
本実施例では、該第１装置及び該第２装置のうちのネットワーク装置が構成を行った場合、該第１装置が該確認ＭＡＣ  ＣＥを送信する。ここで、図５に示すように、該第２装置がネットワーク装置である場合、装置５００は構成部５０４をさらに有してもよい。実施例４における構成部５０４と実施例３における構成部とは、同一の構成部を意味する。
【００８８】
１つの態様では、構成部５０４は、該第１装置が第１ネットワークシグナリングを受信した時点又は該第１ネットワークシグナリングにより指示される時点からの期間内に、該確認ＭＡＣ  ＣＥを送信するように構成する。ここで、該期間の長さは、該構成部により構成されたタイマにより決定され、且つ／或いは、構成部５０４は、該第１装置が第２ネットワークシグナリングを受信した時点又は該第２ネットワークシグナリングにより指示される時点に、該確認ＭＡＣ  ＣＥの送信を終了するように構成する。
【００８９】
もう１つの態様では、構成部５０４は、該第１装置のために論理チャネルを構成し、構成部５０４が該第１装置のために所定優先度閾値よりも高い論理チャネルを構成している場合、該第１装置が前記確認ＭＡＣ  ＣＥを送信するように、該第１装置を構成する。
【００９０】
実施例では、該確認ＭＡＣ  ＣＥと該ＭＡＣ  ＣＥとは、異なるデータフォーマット、及び／又は異なるデータ部分の内容、及び／又は異なるサブヘッダ部分の内容を有する。例えば、該確認ＭＡＣ  ＣＥのデータフォーマットは、０ビットのデータ部分及びサブヘッダ部分を含み、該サブヘッダ部分のＬＣＩＤフィールドの値は、該確認ＭＡＣ  ＣＥにより確認された該ＭＡＣ  ＣＥにより用いられるＬＣＩＤの値と同一である。或いは、該確認ＭＡＣ  ＣＥのデータフォーマットは、データ部分及びサブヘッダ部分を含み、該データ部分のＬＣＩＤフィールドの値は、該確認ＭＡＣ  ＣＥにより確認された該ＭＡＣ  ＣＥにより用いられるＬＣＩＤの値と同一であり、該サブヘッダ部分のＬＣＩＤフィールドの値は、所定値である。或いは、該確認ＭＡＣ  ＣＥのデータフォーマットは、０ビットのデータ部分及びサブヘッダ部分を含み、該サブヘッダ部分のＬＣＩＤフィールドの値は、所定値である。
【００９１】
本実施例によれば、第２装置は、第１装置が受信されたＭＡＣ  ＣＥに対して送信された確認ＭＡＣ  ＣＥを受信することで、該第１装置による該ＭＡＣ  ＣＥの受信が成功したことを確認することができるため、ＭＡＣ  ＣＥの信頼性を向上させることができる。また、該確認ＭＡＣ  ＣＥと該ＭＡＣ  ＣＥとを区別することで、第２装置が該確認ＭＡＣ  ＣＥを容易に識別することができる。
【００９２】
＜実施例５＞
本実施例５は装置を提供し、該装置は第１装置である。該装置の問題解決の原理は実施例１の方法と類似するため、その具体的な実施は実施例２の方法の実施を参考してもよく、同様な内容について説明を省略する。
【００９３】
本実施例では、該第１装置は、ネットワーク装置であってもよいし、端末装置であってもよい。
【００９４】
図６は本発明の実施例のネットワーク装置の構成の概略図である。図６に示すように、ネットワーク装置６００は、中央処理装置（ＣＰＵ）６０１及びメモリ６０２を含んでもよく、メモリ６０２は中央処理装置６０１に接続される。メモリ６０２は、各種のデータを記憶してもよいし、データ処理のプログラムをさらに記憶し、中央処理装置６０１の制御で該プログラムを実行する。
【００９５】
１つの態様では、装置４００の機能は中央処理装置６０１に統合され、ここで、中央処理装置６０１により実施例１のＭＡＣ  ＣＥの確認方法を実現してもよい。
【００９６】
例えば、中央処理装置６０１は、ネットワーク装置６００が実施例１の方法を実行するように制御するように構成されてもよい。
【００９７】
また、中央処理装置６０１の他の構成方式は、実施例１を参照してもよく、ここでその説明を省略する。
【００９８】
もう１つの態様では、装置４００は中央処理装置６０１とそれぞれ配置されてもよく、例えば装置４００は中央処理装置６０１に接続されたチップであり、図６に示すように、中央処理装置６０１の制御により装置４００の機能を実現してもよい。
【００９９】
また、図６に示すように、ネットワーク装置６００は、送受信機６０３及びアンテナ６０４などをさらに含んでもよい。上記部材の機能は従来技術と類似し、ここでその説明を省略する。なお、ネットワーク装置６００は図６に示す全てのユニットを含む必要がない。また、ネットワーク装置６００は、図６に示されていないユニットをさらに含んでもよく、従来技術を参照してもよい。
【０１００】
図７は本発明の実施例の端末装置の構成の概略図である。図７に示すように、端末装置７００は、中央処理装置（ＣＰＵ）７０１及びメモリ７０２を含んでもよく、メモリ７０２は中央処理装置７０１に接続される。メモリ７０２は、各種のデータを記憶してもよいし、データ処理のプログラムをさらに記憶し、中央処理装置７０１の制御で該プログラムを実行し、ＭＡＣ  ＣＥを確認する。
【０１０１】
１つの態様では、実施例３の装置４００の機能は中央処理装置７０１に統合され、中央処理装置７０１により実施例１のＭＡＣ  ＣＥの確認方法を実現してもよい。
【０１０２】
例えば、中央処理装置７０１は、端末装置７００が実施例１の方法を実行するように制御するように構成されてもよい。
【０１０３】
また、中央処理装置７０１の他の構成方式は、実施例１を参照してもよく、ここでその説明を省略する。
【０１０４】
もう１つの態様では、装置４００は中央処理装置７０１とそれぞれ配置されてもよく、例えば装置４００は中央処理装置７０１に接続されたチップであり、中央処理装置７０１の制御により装置４００の機能を実現してもよい。
【０１０５】
また、図７に示すように、端末装置７００は、通信モジュール７０３、入力部７０４、音声処理部７０５、ディスプレイ７０６、アンテナ７０７及び電源７０８などをさらに含んでもよい。ここで、上記ユニットの機能は従来技術と同様であり、ここでその説明を省略する。なお、端末装置７００は図７に示す全てのユニットを含む必要がない。また、端末装置７００は、図７に示されていないユニットをさらに含んでもよく、従来技術を参照してもよい。
【０１０６】
本実施例によれば、第１装置が受信されたＭＡＣ  ＣＥに対する確認ＭＡＣ  ＣＥを送信することで、該第１装置による該ＭＡＣ  ＣＥの受信が成功したことを確認することができるため、ＭＡＣ  ＣＥの信頼性を向上させることができる。また、該確認ＭＡＣ  ＣＥと該ＭＡＣ  ＣＥとを区別することで、該確認ＭＡＣ  ＣＥを容易に識別することができる。
【０１０７】
＜実施例６＞
本実施例６は装置を提供し、該装置は第２装置である。該装置の問題解決の原理は実施例２の方法と類似するため、その具体的な実施は実施例２の方法の実施を参考してもよく、同様な内容について説明を省略する。
【０１０８】
本実施例では、該第２装置はネットワーク装置であってもよく、該ネットワーク装置の概略図は図６と同一であってもよい。
【０１０９】
１つの態様では、実施例４の装置５００の機能はネットワーク装置６００の中央処理装置６０１に統合されてもよい。ここで、中央処理装置６０１は、実施例２のＭＡＣ  ＣＥの確認方法を実現するように構成されてもよい。
【０１１０】
例えば、中央処理装置６０１は、ネットワーク装置６００が実施例２の方法を実行するように制御するように構成されてもよい。
【０１１１】
また、中央処理装置６０１の他の構成方式は、実施例２を参照してもよく、ここでその説明を省略する。
【０１１２】
もう１つの態様では、該装置５００は中央処理装置６０１とそれぞれ配置されてもよく、例えば装置５００は中央処理装置６０１に接続されたチップであり、図６に示すように、中央処理装置６０１の制御により装置５００の機能を実現してもよい。
【０１１３】
本実施例では、該第２装置は端末装置であってもよく、該端末装置の概略図は図７と同一であってもよい。
【０１１４】
１つの態様では、実施例４の装置５００の機能は端末装置７００の中央処理装置７０１に統合されてもよい。ここで、中央処理装置７０１は、実施例２のＭＡＣ  ＣＥの確認方法を実現するように構成されてもよい。
【０１１５】
例えば、中央処理装置７０１は、端末装置７００が実施例２の方法を実行するように制御するように構成されてもよい。
【０１１６】
また、中央処理装置７０１の他の構成方式は、実施例２を参照してもよく、ここでその説明を省略する。
【０１１７】
もう１つの態様では、該装置５００は中央処理装置７０１とそれぞれ配置されてもよく、例えば装置５００は中央処理装置７０１に接続されたチップであり、図７に示すように、中央処理装置７０１の制御により装置５００の機能を実現してもよい。
【０１１８】
本実施例によれば、第２装置は、第１装置が受信されたＭＡＣ  ＣＥに対して送信された確認ＭＡＣ  ＣＥを受信することで、該第１装置による該ＭＡＣ  ＣＥの受信が成功したことを確認することができるため、ＭＡＣ  ＣＥの信頼性を向上させることができる。また、該確認ＭＡＣ  ＣＥと該ＭＡＣ  ＣＥとを区別することで、第２装置が該確認ＭＡＣ  ＣＥを容易に識別することができる。
【０１１９】
＜実施例７＞
本実施例７は、少なくとも実施例５の第１装置と、実施例６の第２装置を含む通信システムを提供する。ここで、該第１装置はネットワーク装置であってもよく、該第２装置は端末装置であってもよい。或いは、該第１装置は端末装置であってもよく、該第２装置はネットワーク装置であってもよい。ここで、実施例５及び実施例の内容を援用し、その説明を省略する。
【０１２０】
本実施例によれば、第２装置は、第１装置が受信されたＭＡＣ  ＣＥに対して送信された確認ＭＡＣ  ＣＥを受信することで、該第１装置による該ＭＡＣ  ＣＥの受信が成功したことを確認することができるため、ＭＡＣ  ＣＥの信頼性を向上させることができる。また、該確認ＭＡＣ  ＣＥと該ＭＡＣ  ＣＥとを区別することで、第２装置が該確認ＭＡＣ  ＣＥを容易に識別することができる。
【０１２１】
本発明の実施例は、コンピュータ読み取り可能なプログラムが記憶されている記憶媒体であって、該プログラムを実行する際に、ＭＡＣ  ＣＥの確認装置又は第１装置に実施例１に記載のＭＡＣ  ＣＥの確認方法を実行させる、記憶媒体をさらに提供する。
【０１２２】
本発明の実施例では、コンピュータ読み取り可能なプログラムであって、ＭＡＣ  ＣＥの確認装置又は第１装置において該プログラムを実行する際に、該ＭＡＣ  ＣＥの確認装置又は第１装置に上記の実施例１に記載のＭＡＣ  ＣＥの確認方法を実行させる、プログラムをさらに提供する。
【０１２３】
本発明の実施例では、コンピュータ読み取り可能なプログラムが記憶されている記憶媒体であって、該プログラムを実行する際に、ＭＡＣ  ＣＥの確認装置又は第２装置に実施例２に記載のＭＡＣ  ＣＥの確認方法を実行させる、記憶媒体をさらに提供する。
【０１２４】
本発明の実施例では、コンピュータ読み取り可能なプログラムであって、ＭＡＣ  ＣＥの確認装置又は第２装置において該プログラムを実行する際に、該ＭＡＣ  ＣＥの確認装置又は第２装置に実施例２に記載のＭＡＣ  ＣＥの確認方法を実行させる、プログラムをさらに提供する。
【０１２５】
＜実施例８＞
本発明の実施例８は、無線リソース制御（ＲＲＣ：Ｒａｄｉｏ  Ｒｅｓｏｕｒｃｅ  Ｃｏｎｔｒｏｌ）構成シグナリングにおける構成の適用方法を提供し、該方法は端末装置により実行される。
【０１２６】
従来技術では、ネットワーク装置は、ＲＲＣ構成シグナリングを伝送するための物理的時点及び用いられる物理的リソースを知ることができないため、端末装置が該ＲＲＣ構成シグナリングを成功して（正常に）受信した時点を正確に知ることができない。よって、該ネットワーク装置と該端末側との新しい構成を提供する時点が同期されていないため、該ネットワーク装置と該端末装置との一定の期間内に応用される構成が一致しなくなる。該期間内に、該端末装置がネットワーク装置と合致しない構成を適用する可能性があるため、データ伝送にエラーが発生する。この期間内に該端末装置により適用された合致しない構成は、ＵＲＬＬＣサービスでは許容できない。
【０１２７】
本実施例のＲＲＣ構成シグナリングにおける構成の適用方法は、ネットワーク装置と端末装置とのＲＲＣ構成シグナリングにおける構成の適用時点が合致しないことによるデータ伝送のエラーを回避することができる。
【０１２８】
図８は本実施例のＲＲＣ構成シグナリングにおける構成の適用方法の概略図である。図８に示すように、該方法は以下のステップを含む。
【０１２９】
ステップ８０１：端末装置は、ネットワーク装置により送信されたＲＲＣ構成シグナリングを受信する。
【０１３０】
ステップ８０２：該端末装置は、該ネットワーク装置により指示され、或いは予め定義された時点に、該ＲＲＣ構成シグナリングにおける構成を適用し始める。
【０１３１】
本実施例によれば、端末装置が該ネットワーク装置により指示され、或いは予め定義された時点に該ＲＲＣ構成シグナリングにおける構成を端末装置に適用し始めることで、ネットワーク装置と端末装置とのＲＲＣ構成シグナリングにおける構成の適用時点が合致しないことによるデータ伝送のエラーを回避することができる。
【０１３２】
本実施例のステップ８０２において、該端末装置は、該ネットワーク装置により指示された時点に、該ＲＲＣ構成シグナリングにおける構成を適用し始めてもよい。ここで、該ネットワーク装置により指示された該時点は、少なくとも２つの候補時点のうちの１つの時点であってもよい。
【０１３３】
本実施例では、該候補時点は、第１時点を含んでもよい。該第１時点は、該端末装置による該ＲＲＣ構成シグナリングの受信が成功した時点、又は該端末装置が該ＲＲＣ構成シグナリングに対応するＲＲＣ構成成功（ＲＲＣ  ｃｏｍｐｌｅｔｅ）メッセージを送信し、或いは下位層に伝送する時点である。或いは、該候補時点は、第２時点を含んでもよい。該第２時点は、該ネットワーク装置により指示され、或いは予め定義された時点である。例えば、該第２時点は、特定のシステムシステムフレーム番号、特定のサブフレーム番号、特定のスロット位置、特定のシンボル位置などの時点であってもよい。
【０１３４】
一例として、ＲＲＣ構成シグナリングは、端末装置のＵＲＬＬＣサービスにより用いられるリソースに対する再構成設定シグナリングである。該ＲＲＣ構成シグナリングにおける１つのフィールドは、端末装置が該ＲＲＣ構成シグナリングにおける構成を適用する時点が第１時点であるか、それとも第２時点であるかを指示するために用いられる。該フィールドが第１値に設定された場合、端末装置が第１時点に該構成を適用する。該第１時点は、例えば該ＲＲＣ構成シグナリングの受信が成功した時点、又はＵＥが該ＲＲＣ構成シグナリングに対応するＲＲＣ構成成功（ＲＲＣ  ｃｏｍｐｌｅｔｅ）メッセージを送信し、或いは下位層に伝送する時点である。該フィールドが第２値に設定された場合、端末装置が第２時点に該構成を適用する。該第２時点は、ネットワーク装置により指示された特定の時点であってもよい。例えば、ネットワーク装置は、各システムフレーム番号（ＳＦＮ：Ｓｙｓｔｅｍ  Ｆｒａｍｅ  Ｎｕｍｂｅｒ）のうちの奇数番号のサブフレームの１番目のサブフレームの１番目のシンボル位置の時点を、第２時点として予め構成する。
【０１３５】
本実施例によれば、端末装置が該ネットワーク装置により指示され、或いは予め定義された時点に該ＲＲＣ構成シグナリングにおける構成を端末装置に適用し始めることで、ネットワーク装置と端末装置とのＲＲＣ構成シグナリングにおける構成の適用時点が合致しないことによるデータ伝送のエラーを回避することができる。
【０１３６】
＜実施例９＞
本発明の実施例９は、無線リソース制御（ＲＲＣ：Ｒａｄｉｏ  Ｒｅｓｏｕｒｃｅ  Ｃｏｎｔｒｏｌ）構成シグナリングにおける構成の適用方法を提供し、該方法はネットワーク装置により実行される。
【０１３７】
図９は本実施例のＲＲＣ構成シグナリングにおける構成の適用方法の概略図である。図９に示すように、該方法は以下のステップを含む。
【０１３８】
ステップ９０１：ネットワーク装置は、該ネットワーク装置により送信されたＲＲＣ構成シグナリングにおける構成を適用する。
【０１３９】
本実施例では、該ネットワーク装置が該構成を適用する時点は、該構成に関連するサービスにより決定される。ここで、該サービスは、信頼性が高く、且つ遅延が低いサービス、例えば高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）サービスを意味する。
【０１４０】
１つの態様では、該サービスが開始される場合、又は該サービスが開始される前に該ＲＲＣ構成シグナリングが送信される場合、該ネットワーク装置は、該端末装置よりも早く該構成を適用する。ここで、該サービスが開始されることの判定は、従来技術を参照してもよい。例えば、ネットワーク装置により該サービスが開始される場合、ネットワーク装置は、該サービスが開始されることを判定することができ、端末装置により該サービスが開始される場合、端末装置は、監視を行うことで、該サービスが開始されることを判定することができる。
【０１４１】
上記の態様では、該ネットワーク装置が該端末装置よりも早く該構成を該ネットワーク装置に適用することは、ネットワーク装置が該ＲＲＣ構成シグナリングを送信し、或いは下位層に伝送する時点に該構成を適用することを意味する。
【０１４２】
この態様によれば、ネットワーク装置が端末装置よりも早くＵＲＬＬＣサービスのための構成を適用することを確保することができる。ネットワーク装置と端末装置との該構成の適用時点が異なる場合であっても、開始されるＵＲＬＬＣサービスのデータを正しい構成で伝送することを確保することができるため、ＵＲＬＬＣサービスのデータ信頼性を確保することができる。
【０１４３】
例えば、端末装置のＵＲＬＬＣサービスがまだ開始されておらず、ＵＲＬＬＣサービスを開始しようとする場合、ネットワーク装置は、該ＲＲＣ構成シグナリングを介してＵＲＬＬＣサービスのために準備を行う。ネットワーク装置が該ＲＲＣ構成シグナリングを送信する場合、該ネットワーク装置が該ＲＲＣ構成シグナリングを送信し、或いは下位層に伝送する時点に、該ネットワーク装置は該構成を適用してもよい。
【０１４４】
もう１つの態様では、該サービスが終了される場合、又は該サービスが終了された後、或いは進行中に該ＲＲＣ構成シグナリングが送信される場合、該ネットワーク装置は、該端末装置よりも遅く該構成を適用する。ここで、該ネットワーク装置が該端末装置よりも遅く該構成を該ネットワーク装置に適用することは、ネットワーク装置が該ＲＲＣ構成シグナリングに対応するＲＲＣ  ｃｏｍｐｌｅｔｅメッセージを受信した時点に該構成を適用することを意味する。
【０１４５】
この態様によれば、ネットワーク装置が端末装置よりも遅くＵＲＬＬＣサービス停止後に用いられる構成を適用することを確保することができる。ネットワーク装置と端末装置との該構成の適用時点が異なる場合であっても、進行中のＵＲＬＬＣサービスのデータを正しい構成で伝送することを確保することができるため、ＵＲＬＬＣサービスのデータ信頼性を確保することができる。
【０１４６】
例えば、端末装置のＵＲＬＬＣサービスが既に開始されており、且つ進行しており、ＵＲＬＬＣサービスを終了しようとする場合、ネットワーク装置は、該ＲＲＣ構成を介してリソースの関連構成を変更する。この際に、ネットワーク装置は、該ＲＲＣ構成シグナリングに対応するＲＲＣ  ｃｏｍｐｌｅｔｅメッセージを受信した時点に該構成を適用してもよい。
【０１４７】
本実施例では、図９に示すように、該方法は以下のステップをさらに含んでもよい。
【０１４８】
ステップ９０２：ネットワーク装置は、端末装置にＲＲＣ構成シグナリングを送信する。
【０１４９】
ステップ９０３：該ネットワーク装置は、該端末装置が該ＲＲＣ構成シグナリングにおける構成を適用し始める時点を指示する。
【０１５０】
本実施例のステップ９０２において、該ネットワーク装置は、該端末装置が少なくとも２つの候補時点のうちの１つの時点に該ＲＲＣ構成シグナリングにおける構成を適用し始めるように指示してもよい。
【０１５１】
本実施例では、該候補時点は、第１時点を含み、該第１時点は、該端末装置による該ＲＲＣ構成シグナリングの受信が成功した時点、又は該端末装置が該ＲＲＣ構成シグナリングに対応する該ＲＲＣ構成成功（ＲＲＣ  ｃｏｍｐｌｅｔｅ）メッセージを送信し、或いは下位層に伝送する時点である。或いは、該候補時点は、第２時点を含み、該第２時点は、該ネットワーク装置により指示され、或いは予め定義された時点である。第１時点及び第２時点の説明について、実施例８を参照してもよく、ここでその説明を省略する。
【０１５２】
本実施例によれば、ネットワーク装置が端末装置よりも早くＵＲＬＬＣサービスのための構成を適用し、且つ／或いは、端末装置よりも遅くＵＲＬＬＣサービス停止後に用いられる構成を適用することで、開始しようとするＵＲＬＬＣサービス及び／又は進行中のＵＲＬＬＣサービスのデータを正しい構成で伝送することができるため、ＵＲＬＬＣサービスのデータ信頼性を確保することができる。また、該ネットワーク装置は、端末装置が該ＲＲＣ構成シグナリングにおける構成を適用し始める時点を指示することで、ネットワーク装置と端末装置とのＲＲＣ構成シグナリングにおける構成の適用時点が合致しないことによるデータ伝送のエラーを回避することができる。
【０１５３】
＜実施例１０＞
本実施例１０は、ＲＲＣ構成シグナリングにおける構成の適用装置を提供し、該装置は端末装置に提供される。該装置の問題解決の原理は実施例８の方法と類似するため、その具体的な実施は実施例８の方法の実施を参考してもよく、同様な内容について説明を省略する。
【０１５４】
図１０は本実施例１０のＲＲＣ構成シグナリングにおける構成の適用装置の概略図である。図１０に示すように、装置１０００は、第３受信部１００１及び第１適用部１００２を含む。
【０１５５】
本実施例では、第３受信部１００１は、ネットワーク装置により送信されたＲＲＣ構成シグナリングを受信する。第１適用部１００２は、該ネットワーク装置により指示され、或いは予め定義された時点に、該ＲＲＣ構成シグナリングにおける構成を端末装置に適用し始める。
【０１５６】
本実施例では、第１適用部１００２は、該ネットワーク装置により指示された時点に、該ＲＲＣ構成シグナリングにおける構成を適用し始める。ここで、該ネットワーク装置により指示された該時点は、少なくとも２つの候補時点のうちの１つの時点である。
【０１５７】
本実施例では、該候補時点は、第１時点を含み、該第１時点は、該端末装置による該ＲＲＣ構成シグナリングの受信が成功した時点、又は該端末装置が該ＲＲＣ構成シグナリングに対応するＲＲＣ構成成功（ＲＲＣ  ｃｏｍｐｌｅｔｅ）メッセージを送信し、或いは下位層に伝送する時点である。或いは、該候補時点は、第２時点を含み、該第２時点は、該ネットワーク装置により指示され、或いは予め定義された時点である。
【０１５８】
本実施例によれば、端末装置が該ネットワーク装置により指示され、或いは予め定義された時点に該ＲＲＣ構成シグナリングにおける構成を端末装置に適用し始めることで、ネットワーク装置と端末装置とのＲＲＣ構成シグナリングにおける構成の適用時点が合致しないことによるデータ伝送のエラーを回避することができる。
【０１５９】
＜実施例１１＞
本実施例１１は、ＲＲＣ構成シグナリングにおける構成の適用装置を提供し、該装置はネットワーク装置に適用される。該装置の問題解決の原理は実施例９の方法と類似するため、その具体的な実施は実施例９の方法の実施を参考してもよく、同様な内容について説明を省略する。
【０１６０】
図１１は本実施例１１のＲＲＣ構成シグナリングにおける構成の適用装置の概略図である。図１１に示すように、装置１１００は第２適用部１１０１を含む。
【０１６１】
本実施例では、第２適用部１１０１は、該ネットワーク装置により送信されたＲＲＣ構成シグナリングにおける構成を該ネットワーク装置に適用する。ここで、第２適用部１１０１が該構成を適用する時点は、該構成に関連するサービスにより決定される。該サービスは、例えば高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）サービスを意味する。
【０１６２】
本実施例では、該サービスが開始される場合、又は該サービスが開始される前に該ＲＲＣ構成シグナリングが送信される場合、該第２適用部は、該端末装置よりも早く該構成を該ネットワーク装置に適用する。ここで、該第２適用部が該端末装置よりも早く該構成を該ネットワーク装置に適用することは、ネットワーク装置が該ＲＲＣ構成シグナリングを送信し、或いは下位層に伝送する時点に該構成を適用することを意味する。
【０１６３】
本実施例では、該サービスが終了される場合、又は該サービスが終了された後、或いは進行中に該ＲＲＣ構成シグナリングが送信される場合、該第２適用部は、該端末装置よりも遅く該構成を該ネットワーク装置に適用する。ここで、該第２適用部が該端末装置よりも遅く該構成を該ネットワーク装置に適用することは、ネットワーク装置が該ＲＲＣ構成シグナリングに対応するＲＲＣ  ｃｏｍｐｌｅｔｅメッセージを受信した時点に該構成を適用することを意味する。
【０１６４】
本実施例では、図１１に示すように、装置１１００は、第３送信部１１０２及び第２指示部１１０３をさらに含む。
【０１６５】
本実施例では、第３送信部１１０２は、該端末装置にＲＲＣ構成シグナリングを送信する。第２指示部１１０３は、該端末装置が該ＲＲＣ構成シグナリングにおける構成を適用し始める時点を指示する。
【０１６６】
本実施例では、第２指示部１１０３は、該端末装置が少なくとも２つの候補時点のうちの１つの時点に該ＲＲＣ構成シグナリングにおける構成を適用し始めるように指示する。ここで、該候補時点は、第１時点を含み、該第１時点は、該端末装置による該ＲＲＣ構成シグナリングの受信が成功した時点、又は該端末装置が該ＲＲＣ構成シグナリングに対応する該ＲＲＣ構成成功（ＲＲＣ  ｃｏｍｐｌｅｔｅ）メッセージを送信し、或いは下位層に伝送する時点である。或いは、該候補時点は、第２時点を含み、該第２時点は、該ネットワーク装置により指示され、或いは予め定義された時点である。
【０１６７】
本実施例によれば、バッファ状態報告を受信する装置により受信されたバッファ状態報告は、該バッファ状態報告に含まれるバッファサイズと論理チャネルグループとの対応関係を指示することができるため、端末装置とネットワーク装置が一致し、且つ明確な技術案を用いて論理チャネルグループとＢＳＲに含まれるバッファサイズとの対応関係を決定することができる。
【０１６８】
本実施例によれば、ネットワーク装置が端末装置よりも早くＵＲＬＬＣサービスのための構成を適用し、且つ／或いは、端末装置よりも遅くＵＲＬＬＣサービス停止後に用いられる構成を適用することで、開始しようとするＵＲＬＬＣサービス及び／又は進行中のＵＲＬＬＣサービスのデータを正しい構成で伝送することができるため、ＵＲＬＬＣサービスのデータ信頼性を確保することができる。また、該ネットワーク装置は、端末装置が該ＲＲＣ構成シグナリングにおける構成を適用し始める時点を指示することで、ネットワーク装置と端末装置とのＲＲＣ構成シグナリングにおける構成の適用時点が合致しないことによるデータ伝送のエラーを回避することができる。
【０１６９】
＜実施例１２＞
本実施例６は端末装置を提供する。該装置の問題解決の原理は実施例８の方法と類似するため、その具体的な実施は実施例８の方法の実施を参考してもよく、同様な内容について説明を省略する。
【０１７０】
図１２は本発明の実施例の端末装置の構成の概略図である。図１２に示すように、端末装置１２００は、中央処理装置（ＣＰＵ）１２０１及びメモリ１２０２を含んでもよく、メモリ１２０２は中央処理装置１２０１に接続される。メモリ１２０２は、各種のデータを記憶してもよいし、データ処理のプログラムをさらに記憶し、中央処理装置１２０１の制御で該プログラムを実行し、ＭＡＣ  ＣＥを確認する。
【０１７１】
１つの態様では、実施例１０の装置１０００の機能は中央処理装置１２０１に統合され、中央処理装置１２０１により実施例８のＲＲＣ構成シグナリングにおける構成の適用方法を実現してもよい。
【０１７２】
例えば、中央処理装置１２０１は、端末装置１２００が実施例８の方法を実行するように制御するように構成されてもよい。
【０１７３】
また、中央処理装置１２０１の他の構成方式は、実施例８を参照してもよく、ここでその説明を省略する。
【０１７４】
もう１つの態様では、上記の装置１０００は中央処理装置１２０１とそれぞれ配置されてもよく、例えば装置１０００は中央処理装置１２０１に接続されたチップであり、中央処理装置１２０１の制御により装置１０００の機能を実現してもよい。
【０１７５】
また、図１２に示すように、端末装置１２００は、通信モジュール１２０３、入力部１２０４、音声処理部１２０５、ディスプレイ１２０６、アンテナ１２０７及び電源１２０８などをさらに含んでもよい。ここで、上記ユニットの機能は従来技術と同様であり、ここでその説明を省略する。なお、端末装置１２００は図１２に示す全てのユニットを含む必要がない。また、端末装置１２００は、図１２に示されていないユニットをさらに含んでもよく、従来技術を参照してもよい。
【０１７６】
本実施例によれば、端末装置が該ネットワーク装置により指示され、或いは予め定義された時点に該ＲＲＣ構成シグナリングにおける構成を端末装置に適用し始めることで、ネットワーク装置と端末装置とのＲＲＣ構成シグナリングにおける構成の適用時点が合致しないことによるデータ伝送のエラーを回避することができる。
【０１７７】
＜実施例１３＞
本実施例５はネットワーク装置を提供する。該装置の問題解決の原理は実施例９の方法と類似するため、その具体的な実施は実施例９の方法の実施を参考してもよく、同様な内容について説明を省略する。
【０１７８】
図１３は本発明の実施例のネットワーク装置の構成の概略図である。図１３に示すように、ネットワーク装置１３００は、中央処理装置（ＣＰＵ）１３０１及びメモリ１３０２を含んでもよく、メモリ１３０２は中央処理装置１３０１に接続される。メモリ１３０２は、各種のデータを記憶してもよいし、データ処理のプログラムをさらに記憶し、中央処理装置１３０１の制御で該プログラムを実行する。
【０１７９】
１つの態様では、装置１１００の機能は中央処理装置１３０１に統合され、ここで、中央処理装置１３０１により実施例９のＲＲＣ構成シグナリングにおける構成の適用方法を実現してもよい。
【０１８０】
例えば、中央処理装置１３０１は、ネットワーク装置１３００が実施例９の方法を実行するように制御するように構成されてもよい。
【０１８１】
また、中央処理装置１３０１の他の構成方式は、実施例９を参照してもよく、ここでその説明を省略する。
【０１８２】
もう１つの態様では、装置１１００は中央処理装置１３０１とそれぞれ配置されてもよく、例えば装置１１００は中央処理装置１３０１に接続されたチップであり、図１３に示すように、中央処理装置１３０１の制御により装置１１００の機能を実現してもよい。
【０１８３】
また、図１３に示すように、ネットワーク装置１３００は、送受信機１３０３及びアンテナ１３０４などをさらに含んでもよい。上記部材の機能は従来技術と類似し、ここでその説明を省略する。なお、ネットワーク装置１３００は図１３に示す全てのユニットを含む必要がない。また、ネットワーク装置１３００は、図１３に示されていないユニットをさらに含んでもよく、従来技術を参照してもよい。
【０１８４】
本実施例によれば、ネットワーク装置が端末装置よりも早くＵＲＬＬＣサービスのための構成を適用し、且つ／或いは、端末装置よりも遅くＵＲＬＬＣサービス停止後に用いられる構成を適用することで、開始しようとするＵＲＬＬＣサービス及び／又は進行中のＵＲＬＬＣサービスのデータを正しい構成で伝送することができるため、ＵＲＬＬＣサービスのデータ信頼性を確保することができる。また、該ネットワーク装置は、端末装置が該ＲＲＣ構成シグナリングにおける構成を適用し始める時点を指示することで、ネットワーク装置と端末装置とのＲＲＣ構成シグナリングにおける構成の適用時点が合致しないことによるデータ伝送のエラーを回避することができる。
【０１８５】
＜実施例１４＞
本実施例１４は、少なくとも実施例１２の端末装置と、実施例１３のネットワーク装置を含む通信システムを提供する。ここで、その内容を援用し、その説明を省略する。
【０１８６】
本実施例によれば、ネットワーク装置と端末装置とのＲＲＣ構成シグナリングにおける構成の適用時点が合致しないことによるデータ伝送のエラーを回避することができる。
【０１８７】
本発明の実施例は、コンピュータ読み取り可能なプログラムが記憶されている記憶媒体であって、該プログラムを実行する際に、ＲＲＣ構成シグナリングにおける構成の適用装置又は端末装置に実施例８に記載のＲＲＣ構成シグナリングにおける構成の適用方法を実行させる、記憶媒体をさらに提供する。
【０１８８】
本発明の実施例では、コンピュータ読み取り可能なプログラムであって、ＲＲＣ構成シグナリングにおける構成の適用装置又は端末装置において該プログラムを実行する際に、該ＲＲＣ構成シグナリングにおける構成の適用装置又は端末装置に上記の実施例８に記載のＲＲＣ構成シグナリングにおける構成の適用方法を実行させる、プログラムをさらに提供する。
【０１８９】
本発明の実施例では、コンピュータ読み取り可能なプログラムが記憶されている記憶媒体であって、該プログラムを実行する際に、ＲＲＣ構成シグナリングにおける構成の適用装置又はネットワーク装置に実施例９に記載のＲＲＣ構成シグナリングにおける構成の適用方法を実行させる、記憶媒体をさらに提供する。
【０１９０】
本発明の実施例では、コンピュータ読み取り可能なプログラムであって、ＲＲＣ構成シグナリングにおける構成の適用装置又はネットワーク装置において該プログラムを実行する際に、該ＲＲＣ構成シグナリングにおける構成の適用装置又はネットワーク装置に実施例９に記載のＲＲＣ構成シグナリングにおける構成の適用方法を実行させる、プログラムをさらに提供する。
【０１９１】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される際に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１９２】
本発明の実施例を参照しながら説明した各装置における各処理方法は、ハードウェア、プロセッサにより実行されるソフトウェアモジュール、又は両者の組み合わせで実施されてもよい。例えば、図４、図５、図１０、図１１に示す機能的ブロック図における１つ若しくは複数、又は機能的ブロック図の１つ若しくは複数の組み合わせ（例えば受信部、決定部、送信部など）は、コンピュータプログラムフローの各ソフトウェアモジュールに対応してもよいし、各ハードウェアモジュールに対応してもよい。これらのソフトウェアモジュールは、図２、図３、図８、図９に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０１９３】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置してもよい。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０１９４】
図４、図５、図１０、図１１に記載されている機能的ブロック図における一つ以上の機能ブロックおよび／または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図４、図５、図１０、図１１に記載されている機能的ブロック図における一つ以上の機能ブロックおよび／または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０１９５】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び変更を行ってもよく、これらの変形及び変更も本発明の範囲内のものである。
【０１９６】
また、上述の実施例を含む実施形態に関し、更に以下の付記を開示する。
（付記１）
無線リソース制御（ＲＲＣ：Ｒａｄｉｏ  Ｒｅｓｏｕｒｃｅ  Ｃｏｎｔｒｏｌ）構成シグナリングにおける構成の適用装置であって、
ネットワーク装置により送信されたＲＲＣ構成シグナリングを受信する第３受信部と、
該ネットワーク装置により指示され、或いは予め定義された時点に、該ＲＲＣ構成シグナリングにおける構成を端末装置に適用し始める第１適用部と、を含む、装置。
（付記２）
該第１適用部は、該ネットワーク装置により指示された時点に、該ＲＲＣ構成シグナリングにおける構成を適用し始め、
該ネットワーク装置により指示された該時点は、少なくとも２つの候補時点のうちの１つの時点である、付記１に記載の装置。
（付記３）
該候補時点は、第１時点を含み、
該第１時点は、該端末装置による該ＲＲＣ構成シグナリングの受信が成功した時点、又は該端末装置が該ＲＲＣ構成シグナリングに対応するＲＲＣ構成成功（ＲＲＣ  ｃｏｍｐｌｅｔｅ）メッセージを送信し、或いは下位層に伝送する時点である、付記２に記載の装置。
（付記４）
該候補時点は、第２時点を含み、
該第２時点は、該ネットワーク装置により指示され、或いは予め定義された時点である、付記２に記載の装置。
（付記５）
無線リソース制御（ＲＲＣ：Ｒａｄｉｏ  Ｒｅｓｏｕｒｃｅ  Ｃｏｎｔｒｏｌ）構成シグナリングにおける構成の適用装置であって、
該ネットワーク装置により送信されたＲＲＣ構成シグナリングにおける構成を該ネットワーク装置に適用する第２適用部、を含み、
該第２適用部が該構成を適用する時点は、該構成に関連するサービスにより決定される、装置。
（付記６）
前記サービスは、高信頼性低遅延通信（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）サービスを意味する、付記５に記載の装置。
（付記７）
該サービスが開始される場合、又は該サービスが開始される前に該ＲＲＣ構成シグナリングが送信される場合、該第２適用部は、該端末装置よりも早く該構成を該ネットワーク装置に適用する、付記５に記載の装置。
（付記８）
該第２適用部が該端末装置よりも早く該構成を該ネットワーク装置に適用することは、ネットワーク装置が該ＲＲＣ構成シグナリングを送信し、或いは下位層に伝送する時点に該構成を適用することを意味する、付記７に記載の装置。
（付記９）
該サービスが終了される場合、又は該サービスが終了された後、或いは進行中に該ＲＲＣ構成シグナリングが送信される場合、該第２適用部は、該端末装置よりも遅く該構成を該ネットワーク装置に適用する、付記５に記載の装置。
（付記１０）
該第２適用部が該端末装置よりも遅く該構成を該ネットワーク装置に適用することは、ネットワーク装置が該ＲＲＣ構成シグナリングに対応するＲＲＣ  ｃｏｍｐｌｅｔｅメッセージを受信した時点に該構成を適用することを意味する、付記９に記載の装置。
（付記１１）
該端末装置にＲＲＣ構成シグナリングを送信する第３送信部と、
該端末装置が該ＲＲＣ構成シグナリングにおける構成を適用し始める時点を指示する第２指示部と、を含む、付記５に記載の装置。
（付記１２）
該第２指示部は、該端末装置が少なくとも２つの候補時点のうちの１つの時点に該ＲＲＣ構成シグナリングにおける構成を適用し始めるように指示する、付記１１に記載の装置。
（付記１３）
該候補時点は、第１時点を含み、
該第１時点は、該端末装置による該ＲＲＣ構成シグナリングの受信が成功した時点、又は該端末装置が該ＲＲＣ構成シグナリングに対応する該ＲＲＣ構成成功（ＲＲＣ  ｃｏｍｐｌｅｔｅ）メッセージを送信し、或いは下位層に伝送する時点である、付記１２に記載の装置。
（付記１４）
該候補時点は、第２時点を含み、
該第２時点は、該ネットワーク装置により指示され、或いは予め定義された時点である、付記１２に記載の装置。
（付記１５）
端末装置と、ネットワーク装置と、を含む通信システムであって、
該端末装置は、請求項１乃至４の何れかに記載の装置を含み、
該ネットワーク装置は、請求項５乃至１４の何れかに記載の装置を含む、通信システム。
（付記１６）
第２装置に構成されている媒体アクセス制御層の制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）の確認装置であって、
第１装置にＭＡＣ  ＣＥを送信する第２送信部と、
前記第１装置により送信された、前記第１装置による前記ＭＡＣ  ＣＥの受信が成功したことを確認するための確認ＭＡＣ  ＣＥを受信する第２受信部と、を含む、装置。
（付記１７）
指示部をさらに有し、
前記指示部が指示を行った場合、前記第１装置が前記確認ＭＡＣ  ＣＥを送信し、或いは、
前記第１装置及び前記第２装置のうちのネットワーク装置が構成を行った場合、前記第１装置が前記確認ＭＡＣ  ＣＥを送信する、付記１６に記載の装置。
（付記１８）
前記指示部は、前記第２装置により送信された前記ＭＡＣ  ＣＥを設定し、前記第１装置が前記確認ＭＡＣ  ＣＥを送信するように指示する、付記１７に記載の装置。
（付記１９）
前記指示部は、前記ＭＡＣ  ＣＥのデータ部分又はサブヘッダ部分のフィールドを設定し、前記指示を行う、付記１８に記載の装置。
（付記２０）
前記指示部は、前記ＭＡＣ  ＣＥにより用いられる論理チャネル識別子（ＬＣＩＤ）を設定し、前記指示を行う、付記１８に記載の装置。
（付記２１）
前記指示部は、前記ＭＡＣ  ＣＥの媒体アクセス制御層のプロトコルデータユニット（ＭＡＣ  ＰＤＵ：Ｍｅｄｉａ  Ａｃｃｅｓｓ  Ｃｏｎｔｒｏｌ  Ｐｒｏｔｏｃｏｌ  Ｄａｔａ  Ｕｎｉｔ）における位置を設定し、前記指示を行う、付記１８に記載の装置。
（付記２２）
前記第２装置は前記ネットワーク装置であり、前記第２装置は構成部をさらに有し、
前記構成部は、前記第１装置が第１ネットワークシグナリングを受信した時点又は該第１ネットワークシグナリングにより指示される時点からの期間内に、前記確認ＭＡＣ  ＣＥを送信するように構成する、付記１７に記載の装置。
（付記２３）
前記期間の長さは、前記構成部により構成されたタイマにより決定される、付記２２に記載の装置。
（付記２４）
前記構成部は、前記第１装置が第２ネットワークシグナリングを受信した時点又は該第２ネットワークシグナリングにより指示される時点に、前記確認ＭＡＣ  ＣＥの送信を終了するように構成する、付記２２に記載の装置。
（付記２５）
前記第２装置は前記ネットワーク装置であり、前記装置は構成部をさらに有し、
前記構成部は、
前記第１装置のために論理チャネルを構成し、
前記構成部が前記第１装置のために所定優先度閾値よりも高い論理チャネルを構成している場合、前記第１装置が前記確認ＭＡＣ  ＣＥを送信するように、前記第１装置を構成する、付記１７に記載の装置。
（付記２６）
前記確認ＭＡＣ  ＣＥと前記ＭＡＣ  ＣＥとは、異なるデータフォーマット、及び／又は異なるデータ部分の内容、及び／又は異なるサブヘッダ部分の内容を有する、付記１６に記載の装置。
（付記２７）
前記確認ＭＡＣ  ＣＥのデータフォーマットは、０ビットのデータ部分及びサブヘッダ部分を含み、
前記サブヘッダ部分の論理チャネル識別子（ＬＣＩＤ）フィールドの値は、前記確認ＭＡＣ  ＣＥにより確認された前記ＭＡＣ  ＣＥにより用いられるＬＣＩＤの値と同一である、付記２６に記載の装置。
（付記２８）
前記確認ＭＡＣ  ＣＥのデータフォーマットは、データ部分及びサブヘッダ部分を含み、
前記データ部分のＬＣＩＤフィールドの値は、前記確認ＭＡＣ  ＣＥにより確認された前記ＭＡＣ  ＣＥにより用いられるＬＣＩＤの値と同一であり、
前記サブヘッダ部分のＬＣＩＤフィールドの値は、所定値である、付記２６に記載の装置。
（付記２９）
前記確認ＭＡＣ  ＣＥのデータフォーマットは、０ビットのデータ部分及びサブヘッダ部分を含み、
前記サブヘッダ部分のＬＣＩＤフィールドの値は、所定値である、付記２６に記載の装置。
【図１】
2021510950.tif 000003
【図２】
2021510950.tif 000004
【図３】
2021510950.tif 000005
【図４】
2021510950.tif 000006
【図５】
2021510950.tif 000007
【図６】
2021510950.tif 000008
【図７】
2021510950.tif 000009
【図８】
2021510950.tif 000010
【図９】
2021510950.tif 000011
【図１０】
2021510950.tif 000012
【図１１】
2021510950.tif 000013
【図１２】
2021510950.tif 000014
【図１３】
2021510950.tif 000015
【国際調査報告】
2021510950.tif 000016
2021510950.tif 000017
2021510950.tif 000018
2021510950.tif 000019